(57)【要約】【課題】地爪や付け爪の立体形状を利用して行われるネイルデザインを、そのデザイン性を損なうことなく施すことできるアクセサリーを提供する。【解決手段】アクセサリー１の中央部は、被装飾部１０となり、人間の爪の表面形状に合わせて湾曲し、滑めらから凸状になっている。被装飾部１０には、ネイルアートにより様々な装飾が施される。被装飾部１０を囲むように、平面方向が楕円状およびリンク状の凸状縁部２０が形成されている。【選択図】  図１
0003152383.tif 000002
【実用新案登録請求の範囲】
【請求項１】
ネイル用の装飾が施される被装飾部と、
前記被装飾部を囲むように配置された凸状縁部と
を有するアクセサリー。
【請求項２】
前記被装飾部は、中央に受けて凸になるように滑らかに傾斜している
請求項１に記載のアクセサリー。
【請求項３】
前記被装飾部は、人間の爪の表面形状に合わせて湾曲した形状を有している
請求項１に記載のアクセサリー。
【請求項４】
前記凸状縁部は、短辺方向および長辺方向のいずれか一方において、中央に向かうに従って滑らかに凸方向に傾斜している
請求項１〜３のいずれかに記載のアクセサリー。
【請求項５】
前記凸状縁部の表面には、装飾が施されている
請求項１〜４のいずれかに記載のアクセサリー。
【考案の詳細な説明】
【技術分野】
【０００１】
本考案は、ネイルアートによる装飾を施すことに適したアクセサリーに関する。
【背景技術】
【０００２】
女性を中心にネイルアートが普及している。
ネイルアートには、地爪や付け爪等に、ペイントをしたり、シールを貼るものがある。また、さらに、地爪や付け爪等に、装飾具を接着するものある。
このようなネイルアートは、フアッションの一つとして楽しまれている。
近年、ペイント、シールは色、デザインの種類も充実し、プロのネイリストを始め数多くの人達が様々なネイルアートを楽しんでいる。ネイルアートは、平面的なものだけではなく、立体的なものも多い。
【考案の開示】
【考案が解決しようとする課題】
【０００３】
ところで、近年、ネイルアートのレベルも高くなり、そのデザイン・技術をネイル以外の分野にも使いたいという要請がある。
また、ネイルアートは、地爪や付け爪の立体形状を利用しながら行わるものであるため平面なプレート等では、そのデザイン価値が損なわれてしまうこともある。
【０００４】
本考案は、上述した従来技術に鑑みてなされ、ネイルアートを応用したアクセサリーを提供することを目的とする。
また、本考案は、地爪や付け爪の立体形状を利用して行われるネイルデザインを、そのデザイン性を損なうことなく施すことできるアクセサリーを提供することを目的とする。
【課題を解決するための手段】
【０００５】
上述した従来技術の問題点を解決し、上述した目的を達成するため、本考案のアクセサリーは、ネイル用の装飾が施される被装飾部と、前記被装飾部を囲むように配置された凸状縁部とを備えている。
【０００６】
好適には、本考案のアクセサリーの前記被装飾部は、中央に受けて凸になるように滑らかに傾斜している。
また、好適には、本考案のアクセサリーの前記被装飾部は、人間の爪の表面形状に合わせて湾曲した形状を有している。
また、好適には、本考案のアクセサリーの前記凸状縁部は、短辺方向および長辺方向のいずれか一方において、中央に向かうに従って滑らかに凸方向に傾斜している。
また、好適には、本考案のアクセサリーの前記凸状縁部の表面には、装飾が施されている。
【考案の効果】
【０００７】
本考案によれば、ネイルアートを応用したアクセサリーを提供することができる。
また、本考案によれば、地爪や付け爪の立体形状を利用して行われるネイルデザインを、そのデザイン性を損なうことなく施すことできるアクセサリーを提供することができる。
【考案を実施するための最良の形態】
【０００８】
以下、本考案の実施形態に係るアクセサリーについて説明する。
なお、本考案のアクセサリーとしては、ペンダント、ブレスレッド、指輪、ピアス、金ホルダー等がある。
【０００９】
＜第１実施形態＞
図１（Ａ）は本発明の第１実施形態に係るアクセサリー１を説明するための正面図、図１（Ｂ）は図１（Ａ）に示すアクセサリー１の右側面図、図１（Ｃ）は図１（Ａ）に示すアクセサリー１の断面を説明するためのイメージ図である。
【００１０】
図１に示すように、アクセサリー１は、薄板の楕円形状をしている。
アクセサリー１の中央部は、被装飾部１０となり、人間の爪の表面形状に合わせて湾曲し、中央に向けて凸になるように滑らかに傾斜している。
【００１１】
被装飾部１０は、例えば、ネイルアートを施すことができる素材であれば特に限定されない。例えば、付け爪に一般的に使用される、アクリル系樹脂、ポリエチレン樹脂、ポリ塩化ビニル樹脂、エポキシ樹脂、ポリカーボネート系樹脂等が用いられる。
また、被装飾部１０は、例えば、シルバーやゴールドで構成してもよい。
【００１２】
被装飾部１０には、いわゆるモールドと呼ばれる無色透明の状態で供給してもよく、または、該モールドの表面に装飾を施した状態で供給することもできる。
被装飾部１０には、通常のネイルアートに利用される塗料や、エメラルド、ルビー、サファイア、アメジスト、オパール、トパーズ、ペリドット、アクアマリン、シトリン、アメトリン、ガーネット、ツァボライト、デマントイド、マンダリンガーネット、トルマリン、ルベライトトルマリン、グリーントルマリン、パライバトルマリン、イエロートルマリン、ブルートルマリン、マルチカラートルマリン、タンザナイト、ラピスラズリー、サファイア、クォーツ、ヒスイ、ジルコン、アイオライト、スピネル、ファイヤーオパール、ムーンストン、アレキサンドライト、クリソベリル、クンツァイト、ベリル、モルガナイト、クロムダイオプサイド、アンダルサイト、琥珀、トルコ石、サンゴ、アゲート、オニックス、ブラッドストーン、ジャスパー、パール、ダイヤモンド等の宝石類、その他装飾材を用いて構成され、様々なデザインが施される。
【００１３】
被装飾部１０を囲むように、平面方向が楕円状およびリンク状の凸状縁部２０が形成されている。
凸状縁部２０は、図１（Ｂ）に示すように、側面方向において、中央部に近づくに従って厚みが増し、側面方向中央部に近づくに従って平面方向に隆起した凸形状をしている。なお、凸状縁部２０の厚みは、均一でもよい。
【００１４】
凸状縁部２０の表面付近には、ダイヤモンド等の単数または複数の装飾物２２が埋め込まれている。装飾物２２は、凸状縁部２０の表面に露出してもよいし、透明な部材でコーティングが施されていてもよい。
【００１５】
凸状縁部２０の長手方向の端部にはリング３０が固定されている。リング３０には、チェーン等が挿入される。
【００１６】
アクセサリー１では、ユーザは、被装飾部１０の表面にネイルアート技術を使って様々な装飾を施すことができる。ネイルアートによる装飾は、近年非常にデザイン価値が高いため、デザイン価値が高いアクセサリー１を提供できる。
【００１７】
アクセサリー１によれば、被装飾部１０の周囲に凸状縁部２０を設けたことで、被装飾部１０の装飾効果を高めることが可能になる。
また、凸状縁部２０により、被装飾部１０にネールアートによる装飾を施しているときに、そのパーツが被装飾部１０の傾斜に沿って落下して紛失してしまうことを回避できる。
また、被装飾部１０を、人間の爪の表面形状に合わせて湾曲させたことで、平面なプレートにした場合に比べて、ネイルアートが本来的に持っているデザイン性を損なうことなく、装飾を施すことができる。
【００１８】
＜第２実施形態＞
図２（Ａ）は本発明の第２実施形態に係るアクセサリー１０１を説明するための正面図、図２（Ｂ）は図２（Ａ）に示すアクセサリー１０１の右側面図、図２（Ｃ）は図２（Ａ）に示すアクセサリー１０１の断面を説明するためのイメージ図である。
【００１９】
図２に示すように、アクセサリー１０１は、薄板の円形状をしている。
アクセサリー１０１の中央部は、被装飾部１１０となり、被装飾部１０と同様に、人間の爪の表面形状に合わせて湾曲し、中央に向けて凸になるように滑らかに傾斜している。
被装飾部１１０は、例えば、被装飾部１０と同じ材料を用いて構成される。
【００２０】
被装飾部１１０を囲むように、平面方向が円状およびリンク状の凸状縁部１２０が形成されている。
凸状縁部１２０は、図２（Ｂ）に示すように、側面方向において、中央部に近づくに従って厚みが増し、側面方向中央部に近づくに従って平面方向に隆起した凸形状をしている。なお、凸状縁部１２０の厚みは、均一でもよい。
【００２１】
凸状縁部１２０の表面付近には、ダイヤモンド等の単数または複数の装飾物１２２が埋め込まれている。装飾物１２２は、凸状縁部１２０の表面に露出してもよいし、透明な部材でコーティングが施されていてもよい。
【００２２】
凸状縁部１２０の長手方向の端部にはリング１３０が固定されている。リング１３０には、チェーン等が挿入される。
【００２３】
アクセサリー１０１によっても、第１実施形態のアクセサリー１と同様の効果を得ることができる。
【００２４】
＜第３実施形態＞
図３（Ａ）は本発明の第３実施形態に係るアクセサリー２０１を説明するための正面図、図３（Ｂ）は図３（Ａ）に示すアクセサリー２０１の右側面図、図３（Ｃ）は図３（Ａ）に示すアクセサリー２０１の断面を説明するためのイメージ図である。
【００２５】
図３に示すように、アクセサリー２０１は、薄板のハート形状をしている。
アクセサリー２０１の中央部は、被装飾部２１０となり、ハート型の中央に向けて凸になるように滑らかに傾斜している。
被装飾部２１０は、例えば、被装飾部１０と同じ材料を用いて構成される。
【００２６】
被装飾部２１０を囲むように、被装飾部２１０のハート型と同じハート型の凸状縁部２２０が形成されている。
凸状縁部２２０は、図２（Ｂ）に示すように、側面方向において、リング２３０に近づくに従って厚みが増し、リング２３０に近づくに従って平面方向に隆起した凸形状をしている。なお、凸状縁部２２０の厚みは、均一でもよい。
【００２７】
凸状縁部２２０の表面付近には、ダイヤモンド等の単数または複数の装飾物２２２が埋め込まれている。装飾物２２２は、凸状縁部２２０の表面に露出してもよいし、透明な部材でコーティングが施されていてもよい。
【００２８】
凸状縁部２２０の端部にはリング２３０が固定されている。リング２３０には、チェーン等が挿入される。
【００２９】
アクセサリー２０１によっても、第１実施形態のアクセサリー１と同様の効果を得ることができる。
【００３０】
本考案は上述した実施形態には限定されない。
すなわち、当業者は、本考案の技術的範囲またはその均等の範囲内において、上述した実施形態の構成要素に関し、様々な変更、コンビネーション、サブコンビネーション、並びに代替を行ってもよい。
【００３１】
上述した実施形態では、被装飾部１０，１１０，２１０および凸状縁部２０，１２０，２２０の平面形状として、楕円、円、ハート型を例示したが、これら以外の形状を採用してもよい。
また、被装飾部１０，１１０，２１０と凸状縁部２０，１２０，２２０とで異なる形状を採用してもよい。
【００３２】
また、上述した実施形態では、被装飾部１０，１１０，２１０にネイルアートを直接施す場合を例示したが、既にネールアートが施された付け爪等の物を被装飾部１０，１１０，２１０に接着剤で貼り付けるようにしてもよい。
また、
【００３３】
また、上述した実施形態では、凸状縁部２０，１２０，２２０に複数の装飾物２２，１２２，２２２を取り付けた場合を例示したが、装飾のパターンは任意であり、また、装飾物が取り付けられていなくてもよい。
【産業上の利用可能性】
【００３４】
本考案は、例えば、ペンダント等のアクセサリーに適用可能である。
【図面の簡単な説明】
【００３５】
【図１】図１（Ａ）は本発明の第１実施形態に係るアクセサリーを説明するための正面図、図１（Ｂ）は図１（Ａ）に示すアクセサリーの右側面図、図１（Ｃ）は図１（Ａ）に示すアクセサリーの断面を説明するためのイメージ図である。
【図２】図２（Ａ）は本発明の第２実施形態に係るアクセサリーを説明するための正面図、図２（Ｂ）は図２（Ａ）に示すアクセサリーの右側面図、図２（Ｃ）は図２（Ａ）に示すアクセサリーの断面を説明するためのイメージ図である。
【図３】図３（Ａ）は本発明の第２実施形態に係るアクセサリーを説明するための正面図、図３（Ｂ）は図３（Ａ）に示すアクセサリーの右側面図、図３（Ｃ）は図３（Ａ）に示すアクセサリーの断面を説明するためのイメージ図である。
【符号の説明】
【００３６】
１，１０１，２０１…アクセサリー
１０，１１０，２１０…被装飾部
２０，１２０，２２０…凸状縁部
３０，１３０，２３０…リング
【図１】
0003152383.tif 000003
【図２】
0003152383.tif 000004
【図３】
0003152383.tif 000005